Podtech/llm-jp-corpus-v4-ja_patent huggingface dataset:
(57)【要約】      （修正有）【課題】一目で誰でも直ぐできる将棋を提供する。【解決手段】駒表示を英大文字と、ＫＩＮＧ駒の二種類とする。また、駒の配列は、ＫＩＮＧ駒のみ盤の手前中心部に配置し、その他の英文字駒は、単語の字数によるため特定はしない。さらに、駒の進める方向は、英大文字の直線部の延長方向とし、進める数は直線の数以内とする。すなわち、英大文字２の字体を構成する直線部を、縦線４ａ、横線４ｂ、左下がり斜線４ｃ、右下がり斜線４ｄ、に分解する。かつ、直線部の延長線方向を駒の進む方向とし、直線部４の数を駒が進める限度とする。【選択図】図１
0003166653.tif 000002
【実用新案登録請求の範囲】
【請求項１】
英大文字駒の字体を構成する、縦・横・斜めの直線を進路方向とし、直線の数を進める限度とした表裏色違いの駒とキング駒で構成された英文字将棋。
【考案の詳細な説明】
【技術分野】
【０００１】本考案は、将棋の駒に関するものである。
【背景技術】
【０００２】従来、将棋は漢字表示であった。
【考案の開示】
【考案が解決しようとする課題】
【０００３】  漢字表示の将棋は、次のような問題点があった。
駒の進め方、配置、相手圏内に入ってからの取り扱いの変更、等ルールが極めて複雑で理解し難かった。
本考案は、これらの問題点を解決するためになされたものである。
【課題を解決するための手段】
【０００４】（イ）駒表示を英大文字と、ＫＩＮＧ駒の二種類とする。
（ロ）駒の配列は、ＫＩＮＧ駒のみ盤の手前中心部に配置し、その他の英文字駒は、単語の字数によるため特定はしない。
（ハ）駒の進める方向は、英大文字の直線部の延長方向とし、進める数は直線の数以内とする。  以上を特徴とする将棋の駒である。
【考案の効果】
【０００５】（イ）駒の進む方向と、進む数が一目瞭然である。
（ロ）駒の文言を変えれば、駒の進み方が変わり変化が楽しめる。
（ハ）駒の表示を英文字になることによって、万国に通用するゲームになり得る。
（ニ）集中力、洞察力、持久力が養われる。
（ホ）脳を活性化させ、老化予防、リハビリにも有効である。
（ヘ）一家団欒、世代間交流の遊具になる。
【考案を実施するための最良の形態】
【０００６】以下、本考案の実施の形態について説明する。
（イ）駒（１）は、英大文字（２）駒とＫＩＮＧ（３）駒、の二種とする。
（ロ）駒（１）を、表面（１ａ）、裏面（１ｂ）の二色に色分けする。
（ハ）駒（１）自体の表示は、表（１ａ）裏（１ｂ）同じである。
（ニ）英大文字（２）の字体を構成する直線部（４）を、縦線（４ａ）、横線（４ｂ）、左下がり斜線（４ｃ）、右下がり斜線（４ｄ）、に分解する。
（ホ）直線部（４）の延長線方向を駒の進む方向とする。
（ヘ）直線部（４）の数を駒が進める限度とする。
（ト）ホ、ヘ、を表示すれば次の通り。
0003166653.tif 000003
（チ）英大文字（２）毎の進路方向と進む数を符号で示せば次の通り。
（図面、図１参照）
Ａ（４ｂ１・４ｃ１・４ｄ１）  Ｂ・Ｅ（４ａ１・４ｂ３）  Ｃ・Ｄ・Ｆ・Ｐ（４ａ１・４ｂ２）  Ｇ（４ａ２・４ｂ３）  Ｈ・Ｕ（４ａ２・４ｂ１）  Ｉ（４ａ１）  Ｌ・Ｔ・Ｊ（４ａ１４ｂ１）  Ｋ・Ｙ（４ａ１・４ｃ１・４ｄ１）  Ｍ（４ａ２・４ｃ１・４ｄ１）  Ｎ（４ａ２・４ｄ１）  Ｏ（４ａ２・４ｂ２）  Ｑ（４ａ２・４ｂ２・４ｄ１）  Ｖ・Ｘ（４ｃ１・４ｄ１）  Ｗ（４ｃ２・４ｄ２）  Ｚ（４ｂ２・４ｃ１）  Ｒ（４ａ１・４ｂ２・４ｄ１）  Ｓ（４ｂ３）
（リ）ＫＩＮＧ（３）は、前後・左右・左右斜め・の全方向に二進できる。
（ヌ）将棋盤（５）は、横７枡、縦９枡、の桝目盤とする。
本考案は以上のような構成であり、これで将棋をするには、一例として先ず駒（１）を第２図のように配列してスタートする。
（ル）要領は、従来の一般的将棋と同じである。
（ヲ）獲得した駒（１）は裏返して再利用ができる。
【図面の簡単な説明】
【０００７】
【図１】本考案大英文字駒の直線部説明平面図
【図２】本考案英大文字駒の、一例として、ＵＬＴＲＡ・ＴＨＩＮＫ、の１０文字、を用いた将棋盤の全体平面図
【図３】本考案大英文字駒の、表面斜視図
【符号の説明】
【０００８】１    駒
１ａ  表面
１ｂ  裏面
２    英大文字
３    ＫＩＮＧ
４    直線部
４ａ  縦線
４ｂ  横線
４ｃ  左下がり斜線
４ｄ  右下がり斜線
５    将棋盤
【図１】
0003166653.tif 000004
【図２】
0003166653.tif 000005
【図３】
0003166653.tif 000006
【手続補正書】
【提出日】平成22年12月14日(2010.12.14)
【手続補正１】
【補正対象書類名】実用新案登録請求の範囲
【補正対象項目名】全文
【補正方法】変更
【補正の内容】
【実用新案登録請求の範囲】
【請求項１】
英大文字駒の字体を構成する、縦・横・斜めの直線を進路方向とし、直線の数を進める限度とした表裏色違いの駒とキング駒で構成された英文字将棋セット。
(57)【要約】      （修正有）【課題】効率よく体の洗浄をすることができる洗浄具を提供する。【解決手段】筒状網材を縮ませて、帯状体を作り、これをしばって洗浄体を作り、これを複数作って洗浄体とポリウレタンコードで結束した洗浄具。本洗浄体は引っぱって使用する際に、洗浄体が伸びることなく、ポリウレタンコードが伸びるので、洗浄体の網状部が細くなることがなく、体をよく洗浄することができる。【選択図】図４
0003166656.tif 000002
【実用新案登録請求の範囲】
【請求項１】
合成樹脂製の筒状網材を縮ませて帯状体を作り、これをしばって洗浄体を作り、これを複数作って洗浄体と洗浄体をポリウレタンコードで結束した洗浄具
【考案の詳細な説明】
【技術分野】
【０００１】本考案は顔および体の洗浄用具に使用する用具に関する。
【背景技術】
【０００２】従来の洗浄用具は、合成樹脂の筒状網材のみで、できているものがある。
【考案の開示】
【考案が解決しようとする課題】
【０００３】従来の合成樹脂の筒状網材のみでできている洗浄具［図６］は、引っぱると［図７］のように網状部が細くなり、洗浄機能が低下する。
【課題を解決するための手段】
【０００４】本考案の筒状網材［図１］を縮ませて、帯状体［図２］を作り、これをしばって洗浄体［図３］を作り、これを複数作って洗浄体とポリウレタンコードで結束した洗浄具［図４］を提供する。
【考案の効果】
【０００５】本考案の洗浄体は引っぱって使用する際に、洗浄体が伸びることなく、ポリウレタンコードが伸びるので、洗浄体の網状部が細くなることがなく、体をよく洗浄することができる。
【実施例】
【０００６】［図４］の本考案は引っぱって使用する際に、網状部が伸びることなく、［図５］のようにポリウレタンコードが伸びるので、体を効率よく洗浄することができる。
【産業上の利用可能性】
【０００７】本考案により、効率よく体の洗浄をすることができる。
【図面の簡単な説明】
【０００８】
【図１】合成樹脂製の筒状網材
【図２】［図１］の筒状網材を縮ませたもの
【図３】［図２］の縮ませたものをしばったもの
【図４】［図３］の縮ませてしばったものをポリレタンコードでつないだ本考案
【図５】本考案を引っぱった状態。ポリウレタンコードがのびる。
【図６】従来の合成樹脂製の筒状網材のよって作られた洗浄用具
【図７】従来のもの［図６］をひっぱると網状部が細くなる。
【図１】
0003166656.tif 000003
【図２】
0003166656.tif 000004
【図３】
0003166656.tif 000005
【図４】
0003166656.tif 000006
【図５】
0003166656.tif 000007
【図６】
0003166656.tif 000008
【図７】
0003166656.tif 000009
【手続補正書】
【提出日】平成22年12月19日(2010.12.19)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製の筒状網材を筒の軸方向に折り重ねて縮ませたリング型帯状体をつくり、このリング型帯状体を外側からしばった洗浄体をつくる。
この洗浄体を複数作り、洗浄体と洗浄体との間をポリウレタンコードで結んだ洗浄具
【手続補正２】
【補正対象書類名】図面
【補正対象項目名】全図
【補正方法】変更
【補正の内容】
【図１】
0003166656.tif 000010
【図２】
0003166656.tif 000011
【図３】
0003166656.tif 000012
【図４】
0003166656.tif 000013
【図５】
0003166656.tif 000014
【図６】
0003166656.tif 000015
【図７】
0003166656.tif 000016
(57)【要約】【課題】レザーホルダ取付けシャフト上でレザーホルダを切巾毎に位置決めする作業を簡易化して作業者の熟練度に関係なくレザーホルダ位置決め調節作業が短時間で行える、頻繁な切巾変更にも作業負担を軽減又切巾間違いを減少させるようにすること。【解決手段】目盛付レザーホルダをレザーホルダ取付けシャフト上に切断条数分設置して基準レザーホルダ（Ｎｏ．１）から切巾毎に目盛付レザーホルダ（Ｎｏ．２〜）を順次設定していく、ホルダを移動させながら目盛が読める為、作業者の熟練度に関係なくレザーホルダ位置決め調節作業が簡単に短時間で行える又上述の作業方法により頻繁な切巾変更にも作業負担を軽減されると共に位置決め寸法が各レザーホルダ毎に常時目視できるので切巾間違いが少なくなり問題点を解決している。【選択図】図１
0003166658.tif 000002
【実用新案登録請求の範囲】
【請求項１】
レザーホルダ本体に目盛板を有するスケールプレート（スケール取付け台、目盛基準パネル兼用）、目盛板ガイド、レザー刃取付け板、ホルダ固定ノブ、レザー刃固定ノブ、レザー刃から構成される目盛付レザーホルダを使用することによりレザーホルダ位置決め及び調節作業を短時間で行える。各ホルダの目盛を直読、確認でき切巾間違いの減少、切巾調整、頻繁な切巾変更にも作業負担が大幅に軽減されることを特徴とした目盛付レザーホルダ。
【考案の詳細な説明】
【技術分野】
【０００１】本考案は、スリッタ等で目盛付レザーホルダを使用して切巾を迅速かつ正確に位置決めできる装置に関するものである。
【背景技術】
【０００２】従来のレザーホルダ位置決め方法はレザーホルダ取付けシャフト（目盛付又は目盛なし）にレザーホルダを取付け、切巾の位置決めには片手でスケール（メジャー）等を持ち片方の手でレザーホルダを移動させ各々切巾位置に固定、又レザーホルダ取付けシャフトに目盛付が付いている場合は基準レザーホルダから切巾毎に加減計算を行い目盛にホルダを移動、固定していた。
【考案の概要】
【考案が解決しようとする課題】
【０００３】レザーホルダ取付けシャフト上でレザーホルダを切巾毎に移動、位置決めする場合、片手でスケールを持ち片方の手でレザーホルダを移動、その後片手又は両手でレザーホルダを固定させることは切巾位置が不安定となる。これらの作業動作は切断条数分が多い場合特にレザーホルダの位置決めに長時間を要する又位置決め後の切巾が数値確認できず切巾間違いが起る原因となる、したがって目盛付レザーホルダ使用することにより位置決め時間の短縮及び切巾間違いを少なくすることが可能になり前途の点を解決しようとするものである。
【課題を解決するための手段】
【０００４】本考案は、目盛付レザーホルダをレザーホルダ取付けシャフト上に切断条数分設置して基準レザーホルダ（Ｎｏ．１）から切巾毎に目盛付レザーホルダ（Ｎｏ．２〜）を順次設定していく、目盛付レザーホルダを使用することにより切巾数値が直読でき両手で作業可能となる為確実な位置固定が可能となる。又、切巾数値が各々のホルダにて常時目視できるので切巾間違いが少なくなり問題点を解決している。
【考案の効果】
【０００５】上述の様に、本考案の目盛付レザーホルダを使用することによりレザーホルダ位置決め時間の短縮、切巾間違いによる仕損品の減少は勿論、切巾調整、頻繁な切巾変更にも作業負担が大幅に軽減される。
【図面の簡単な説明】
【０００６】
【図１】本考案の目盛付レザーホルダの構成を表示する。
【図２】目盛付レザーホルダの実施例、目盛位置を示す全体図である。
【考案を実施するための形態】
【０００７】  以下、添付図面に従って実施例を説明する。図１の１はホルダ本体、２は目盛板、３はスケールプレート（スケール取付け台・目盛基準パネル兼用）、４は目盛板ガイド、５はレザー刃取付板、６はホルダ固定ノブ、７はレザー刃固定ノブ、８はレザーホルダ取り付けシャフト、９はレザー刃の構成で３のスケールプレートはスケール取付け台と目盛基準パネルを兼ねている。スケール巾は任意で取換え可能としている。レザーホルダ取付けシャフト上に目盛付レザーホルダを複数取付けたときスケールは重なるので段違いとし収納可能としている。図１及び図２において、レザーホルダ取付けシャフトに目盛付レザーホルダを切断条数分取付ける。基準レザーホルダをＮｏ．１としその他の目盛付レザーホルダはＮｏ．２〜Ｎｏ．９（個数は任意）としてレザーホルダの目盛を見ながら移動させ順次位置決め固定していく。
【符号の説明】
【０００８】１  ホルダ本体
２  目盛板
３  スケールプレート（スケール取付け台、目盛基準パネル兼用）
４  目盛板ガイド
５  レザー刃取付け板
６  ホルダ固定ノブ
７  レザー刃固定ノブ
８  レザーホルダ取付けシャフト
９  レザー刃
【図１】
0003166658.tif 000003
【図２】
0003166658.tif 000004
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
レザーホルダ取付けシャフトにそれぞれ複数設けたレザーホルダにおいて、各々のレザーホルダ本体に１ｍｍ単位のスケールを貼り付けた目盛板、目盛板固定用スケールプレート、目盛板を横方向にガイドする目盛板ガイドを固定したレザーホルダを移動することにより位置決めを行う装置であり、スケールプレート端面と目盛板の目盛交点が移動距離となる位置決め方法で、目盛が直読、数値確認ができレザーホルダ位置決め調節作業を短時間で行える、切巾間違いの減少、頻繁な切巾変更及び切巾調整にも作業負担が大幅に軽減される、以上の構成からなることを特徴とするスリッタ用目盛付レザーホルダ。
(57)【要約】      （修正有）【課題】効率よく石鹸を泡立てることができる洗浄具を提供する。【解決手段】合成樹脂製の筒状網材を筒の軸方向に折り重ねて縮ませたリング型帯状体を複数作る。この複数のリング型帯状体をしばって繋いだものを保水性をもつ目の細かい網でおおう。【選択図】図１
0003166657.tif 000002
【実用新案登録請求の範囲】
【請求項１】
合成樹脂製の筒状網材を縮ませて帯状体を作り、これをしばったものを、保水性をもつ目のこまかい網でおおった洗浄具
【考案の詳細な説明】
【技術分野】
【０００１】本考案は顔および体の皮膚の洗浄に使用する用具に関する。
【背景技術】
【０００２】従来の洗浄用具は、合成樹脂製の網材のみで、できているものがある。
【考案の開示】
【考案が解決しようとする課題】
【０００３】従来の合成樹脂製の網材のみの洗浄用具［図１］は、石鹸を泡立てるのには便利であるが、保水性がないので作った泡が保持できず、体を洗浄しにくい難点がある。
【課題を解決するための手段】
【０００４】［図１］の従来の洗浄具の表面に［図２］のように保水性をもつ目のこまかい網でおおった本考案を提供する。
【考案の効果】
【０００５】石鹸を含んだ水が、内部の合成樹脂製の網材で、泡立てられる。泡立てられた泡は外側の保水性のある目のこまかい網に保たれて、洗浄効果を長持ちさせる。
【実施例】
【０００６】［図３］のように目の細かい網の表面および裏面に泡が保持され、効率よく洗浄ができる。
【産業上の利用可能性】
【０００７】効率よく泡が立てられて、泡をむだなく使用して洗浄することができる。
【図面の簡単な説明】
【０００８】
【図１】合成樹脂製の網状体を縮めてしばったもの
【図２】［図１］を保水性をもつ目のこまかい網でおおった本考案
【図３】使用例、泡が生地の内部と外部にできる。
【図１】
0003166657.tif 000003
【図２】
0003166657.tif 000004
【図３】
0003166657.tif 000005
【手続補正書】
【提出日】平成22年12月19日(2010.12.19)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製の筒状網材を筒の軸方向に折り重ねて縮ませたリング型帯状体を複数作る。この複数のリング型帯状体をしばって繋いだものを保水性をもつ目の細かい網でおおった洗浄具
【手続補正２】
【補正対象書類名】図面
【補正対象項目名】図１
【補正方法】変更
【補正の内容】
【図１】
0003166657.tif 000006
(57)【要約】      （修正有）【課題】両輪駆動により登坂能力を向上させる電動二輪車を提供する。【解決手段】山間部や急な坂道でも走行できる様に、電動二輪車の登坂能力の向上のため、前輪２及び後輪１のホイール部にインホイールモーター５を登載して両輪駆動の電動二輪車３を構成する。【選択図】図１
0003166637.tif 000002
【実用新案登録請求の範囲】
【請求項１】
電動二輪車の両輪を動力とした駆動方法。
【考案の詳細な説明】
【技術分野】
【０００１】  本考案は電動二輪車の駆力に関するものである。
【背景技術】
【０００２】  電動二輪車の課題である登坂能力はエンジンに比べ劣力であり、普及に問題を残している。
【先行技術文献】
【０００３】  インホイールモーター、電動二輪車に一般的使用されているモーター
【考案の概要】
【考案が解決しようとする課題】
【０００４】  電動二輪車はガソリンエンジンのそれに比べ登坂能力が劣り、山間部や急な坂道での走行が困難である。
【課題を解決するための手段】
【０００５】  本考案は従来二輪車とは後輪駆動であるものを、前輪後輪の両輪駆動にした車輌である。
エンジン車両の場合は動力伝達機関チェーンを用いるので不可能であった。【０００６】  車輪のホイールそのものを動力とするインホイールモーターを前後両輪に使用する。
【考案の効果】
【０００７】  本考案により電動二輪車はエンジン車両と比べて同等以上の出力が実現し、あらゆる地域や多彩な使用用途が可能になる。
【図面の簡単な説明】
【０００８】
【図１】  車輌全体図
【図２】  横方向前輪部図
【図３】  前方向前輪部図
【考案を実施するための形態】
【０００９】  電動二輪車において駆動輪である後輪に用いられている伝達機関をもたない動力方法であるインホイールモーターを従来は操角輪であった前輪にも用いる。
【実施例】
【００１０】  １後輪に動力として使われている５インホイールモーターを２前輪にも用いて両輪駆動とする。
これにより登坂能力が向上します。
【符号の説明】
【００１１】１  後輪、駆動輪
２  前輪、駆動輪
３  車輌本体
４  前輪ブレーキ
５  インホイールモーター
６  タイヤ
【図１】
0003166637.tif 000003
【図２】
0003166637.tif 000004
【図３】
0003166637.tif 000005
【手続補正書】
【提出日】平成22年12月17日(2010.12.17)
【手続補正１】
【補正対象書類名】実用新案登録請求の範囲
【補正対象項目名】全文
【補正方法】変更
【補正の内容】
【実用新案登録請求の範囲】
【請求項１】
・電動二輪車において前後両輪のホイールにモーターを組み合わせた構造を用いた電動バイク。
(57)【要約】      （修正有）【課題】取付作業が簡単で溶接が不要であり、強度を保ち、安全に使用できる大型道路照明鋼管柱安定器取付口の蓋の補修用箱セットを提供する。【解決手段】ビス穴付の長方形鉄板蓋１と、直方体で後面は空き面、前面は開口と蓋を止めるためのビス穴を設け、上面は空き面で周りに水切りツバを設け、下面は鋼管柱に合わせる開口を設け、左右両面にはビス穴を有する箱体２と、箱体を鋼管柱に止めるためのビス３と、蓋を箱体に止めるためのビス４を備える。【選択図】図５
0003166638.tif 000002
【実用新案登録請求の範囲】
【請求項１】
ビス穴付の長方形鉄板蓋▲１▼と、鉄製箱体▲２▼と、箱体を止める用ビス▲３▼と、蓋を止めるビス▲４▼を整えた箱セット。
箱体▲２▼は長方体で、後面は空き面、前面は開口と蓋止めビス穴を設ける、上面は空き面で周りに水切りツバを設ける、下面は鋼管柱に合わせる開口を設ける、左右両面にはビス穴付です。
【考案の詳細な説明】
【技術分野】
【０００１】本考案は、大型道路照明等の鋼管柱安定器取付口の腐食補修に関するもの。
【背景技術】
【０００２】大型道路照明独立柱の鋼管柱下部柱内に、安定器或いは開閉スイッチ等が付いています、それらを取替るために鋼管柱に開口部が設けられていて、そこに蓋がビス止めで付いています。しかし経年劣化で蓋とビスが錆びているのはかなり多く見られます、さらに腐食が進むと、鋼管柱のビス止め穴も腐食して、ビスが止められなくなったり、開口部の周りが腐食して、欠け落ちたりしています。新しい蓋とビスを交換することもできない状態の照明柱が多数あるのが現状です。（図１、図２）
【考案の開示】
【考案が解決しようとする課題】
【０００３】腐食した安定器取付口をそのまま放置すると雨水が内部に侵入し、すると、内部の電気部品が漏電したりして、照明が付かなくなります。腐食がもっと進行したら、鋼管柱の強度が弱くなり、道路の美観にも悪い。しかし、局部の腐食が進むと、照明柱全体を取替るしかないのが現状です。照明柱全体を取替るには、費用も掛り、資源の浪費にもつながります。
【課題を解決するための手段】
【０００４】この課題を解決するための請求項１の発明は、現在の蓋を使わない、鋼管柱安定器取付口の腐食している既存ビス穴も利用しないで、新たに箱体と蓋をセットで作り、鋼管柱安定器取付口の両側にビス穴を開けるだけで、箱セットが強固に取付けできる。箱セットはシンプルで、鋼管柱に取付ける現場作業も簡単で熔接は不要です。しかも箱セットは既設の安定器取付口に取付けることで、強度を保ち、安全に使用できます。（図３、４、５、６、７）【０００５】箱セットの製作については、材料は既存鋼管柱と同等の鋼材を使用します。
箱体▲２▼は既存鋼管柱安定器取付口に合わせて寸法を取る。図４に示すよう箱体の前面に内部操作できるよう大きめの開口を設け、上下に蓋止め用ビス穴（φ６ｍｍ）二つを設ける。左右側面にも箱体を鋼管柱に取付け用ビス穴（φ６ｍｍ）片面三つづつを設ける。下面は鋼管柱に嵌めるために鋼管柱のサイズに合わせて開口を開ける。上面と後面は空き面で、ほかの４面を熔接にて箱体を作り、その上部周りに１０ｍｍ位の水切りツバを熔接する。
蓋▲１▼は箱体▲２▼の前面に合わせ、両側を１５ｍｍくらい折り曲げ、上下に箱体のビス穴と合うよう二つ穴を設ける。（図３）
蓋▲１▼と、箱体▲２▼と箱体止めビス▲３▼（６本）と蓋止めビス▲４▼（２本）と整え、箱セットになります。（図５）【０００６】箱セットの取付けについて、既存鋼管柱安定器取付口の蓋を取外して、サビをすり落し、取付口及びその内部を掃除してから、安定器取付口の左右側に箱体を取付け用ビス穴（φ６ｍｍ）三つづつを開けます、それから箱体をビスで取付口にはめこみ取付け、最後に蓋をビスで箱体に取付けます。
（図６、図７）
【考案の効果】
【０００７】本考案の箱セットを利用して、現状腐食した蓋取替不能の鋼管柱の安定器取付口を補修することによって、取付口の雨漏りを解消し、漏電などによる照明不点等の不具合も解決できます。箱体が取付口周りの腐食部分を全体カバーできるので、腐食の進行を食い止め、鋼管柱の強度を保つことができますし、美観にもなります。こうして安定器取付口の腐食部分だけの補修で、照明柱はまだ長期に使用できるようになり、照明柱を全交換するより、コスト面でも、資源面でも、ＣＯ２の削減にも役に立つ。地球にやさしいエコな補修工法です。
【考案を実施するための最良の形態】
【０００８】箱セットの製作ポイントは大型道路照明鋼管柱のサイズに合わせて作ること。
取付け時は、箱体の雨切りツバを既存鋼管柱の水切り鉄板と突き合わせるように、箱体のビス穴に合わせて、鋼管柱安定器取付口の両側に穴を開けること。
【図面の簡単な説明】
【０００９】
【図１】既存道路照明鋼管柱
【図２】既存鋼管柱開口部詳細図
【図３】補修用蓋
【図４】補修用箱体
【図５】補修用箱セット
【図６】補修用箱体取付図
【図７】補修用箱セット取付図
【符号の説明】
【００１０】１    蓋
２    箱体
３    箱体止めビス
４    蓋止めビス
【図１】
0003166638.tif 000003
【図２】
0003166638.tif 000004
【図３】
0003166638.tif 000005
【図４】
0003166638.tif 000006
【図５】
0003166638.tif 000007
【図６】
0003166638.tif 000008
【図７】
0003166638.tif 000009
【手続補正書】
【提出日】平成22年11月15日(2010.11.15)
【手続補正１】
【補正対象書類名】実用新案登録請求の範囲
【補正対象項目名】全文
【補正方法】変更
【補正の内容】
【実用新案登録請求の範囲】
【請求項１】
ビス穴付の長方形鉄板蓋▲１▼と、直方体で後面は空き面、前面は開口と蓋を止めるためのビス穴を設ける、上面は空き面で周りに水切りツバを設ける、下面は鋼管柱に合わせる開口を設ける、左右両面にはビス穴付の箱体▲２▼と、箱体を鋼管柱に止めるためのビス▲３▼と、蓋を箱体に止めるためのビス▲４▼を整えた大型道路照明鋼管柱安定器取付口補修用箱セット。
(57)【要約】      （修正有）【課題】屋内工場で二次製品化する事で、コンクリートの強度を出せ、又現場での組み立て工法が可能で、現場での工事手間を減らし工期短縮、布基礎レベルのメンテナンスが可能になる二次製品化コンクリートを提供する。【解決手段】二次製品化した柱型コンクリートＬジョイント１と、布基礎合わせ溝部４に布基礎コンクリートを組み立て、レベル調整はくさび差し込み口５からくさびで調整し組み立て共に解決出来る。レベルメンテナンスは、ジャッキ設置個所からジャッキを使用して、布基礎底面の箇所から調整し解決している。【選択図】図１
0003166636.tif 000002
【実用新案登録請求の範囲】
【請求項１】
住宅基礎コンクリートを二次製品化する事により、二次製品化柱型コンクリートを埋設して、布基礎コンクリートを組み立てる工法が特徴。
【請求項２】
二次製品化した柱型コンクリートと、布基礎コンクリートの組み立て工法で、レベル調整及びレベルのメンテナンスが可能になる事が特徴。
【考案の詳細な説明】
【技術分野】
【０００１】本考案は、住宅基礎コンクリートの二次製品化による組み立て工法で、基礎柱型コンクリートにより、布基礎コンクリートの組み立てレベル調整に関する。
【背景技術】
【０００２】住宅基礎工事において、従来は布基礎及びベタ基礎が主流になっている、工事全般が屋外現場施工である。
【考案の開示】
【考案が解決しようとする課題】
【０００３】従来の住宅基礎コンクリート工事は、工事全般が屋外現場施工で、季節、気象の温度変化に大きく影響されコンクリート強度が出しにくいが、屋内工場で二次製品化する事で、コンクリートの強度を出せる、又現場での組み立て工法が可能で、現場での工事手間を減らし工期短縮、布基礎レベルのメンテナンスが可能になる。
【課題を解決するための手段】
【０００４】住宅基礎コンクリートを二次製品化することで、コンクリートの強度が上がりクレーンなどによる組み立て工法ができ、現場での工事手間が減り工期短縮が可能になる，
布基礎レベルのメンテナンス、基礎天場レベル調整が出来るように、二次製品化した柱型コンクリートを埋設し、布基礎コンクリートを布基礎組み合わせ溝部に組立て、くさびでレベル調整を行う、メンテナンスの場合はジャッキなどにより布基礎底面のジョイント周りから調整できる。
【考案の効果】
【０００５】  本考案の、二次製品化柱型コンクリートの組み立て工法により、住宅基礎の地盤沈下その他いろいろな原因で、家の傾きが生じた場合などのレベル調整が可能になり、また夏冬の季節での現場打ちコンクリートは、夏は直射日光で乾きが早く冬は凍結で乾きが遅くコンクリートの強度が出にくいが、工場生産二次製品化は、乾きを安定させてコンクリート強度をだせるし、又養生期間も十分とれ一定の強度が出せる、これによりクレーンなどにより現場組立工法が出来て、従来の工法より現場での工事手間が減り工期短縮できる、又高低差のある現場などは特に利用価値が上がる。
【考案を実施するための最良の形態】
【０００６】図１は、二次製品化の柱型コンクリート上部の布基礎組み合わせ溝部のＬ型、十字型、Ｔ型の斜め上から見た側面図。【０００７】図２は、二次製品化の柱型コンクリートを地中に埋設し、布基礎コンクリートを組み立てた断面図。【０００８】図３は、二次製品化基礎コンクリートを、柱型コンクリート上部の溝部位に布基礎コンクリートを組み合わせた平面図。
【図面の簡単な説明】
【０００９】
【図１】二次製品化した、柱型コンクリートの斜め上から見た側面図で、布基礎コンクリートとの組み合わせ溝部、及びくさび差し込み口。
【図２】二次製品化した、柱型コンクリートと布基礎コンクリートを組み立てた断面図、及びメンテナンス用のジャッキ設置個所を記載した断面図。
【図３】二次製品化した、柱型コンクリートと布基礎コンクリートを組み立てた平面図。
【符号の説明】１    柱型コンクリートＬジョイント溝部型
２    柱型コンクリート十字ジョイント溝部型
３    柱型コンクリートＴ字ジョイント溝部型
４    柱型コンクリートと布基礎組み合わせ溝部
５    柱型コンクリートと布基礎コンクリート接面の、レベル調整用くさび差し込み口
６    布基礎コンクリート
７    アンカーボルト
８    メンテナンスのジャッキ設置個所二次製品化
【図１】
0003166636.tif 000003
【図２】
0003166636.tif 000004
【図３】
0003166636.tif 000005
【手続補正書】
【提出日】平成22年12月9日(2010.12.9)
【手続補正１】
【補正対象書類名】実用新案登録請求の範囲
【補正対象項目名】全文
【補正方法】変更
【補正の内容】
【実用新案登録請求の範囲】
【請求項１】
住宅基礎のコンクリート製品で構成された、布基礎コンクリートと柱型コンクリートを組み合わせる為に，柱型コンクリート上部の組み合せ接点部に、布基礎コンクリート合せ溝を設けて、合わせ溝両端部に隙間を設ける為の角度を付けた、レベル調整用のくさび差し込み口を形成した地中埋設用柱型コンクリート。
【請求項２】
柱型コンクリート床面上部を、ジャッキ設置個所として水平に設け、水平に保つ事でジャッキとの接面部を安定できる、安定したジャッキ設置個所から、布基礎コンクリート床面部を建物と一緒に押し上げ、レベル調整が出来るジャッキ設置個所である、請求項１記載の地中埋設用柱型コンクリート。
(57)【要約】      （修正有）【課題】不自然なたるみ皺がなく、内股をすっきりさせるドレスパンツ型紙を提供する。【解決手段】ドレスパンツの型紙の後内股縫い目を８ｍｍ長くする。縫合前にそれをアイロン操作で追い込んで、縦横正方形に織られた布目を平行四辺形に変形させ横布目を水平にする。【選択図】図１
0003166635.tif 000002
【実用新案登録請求の範囲】
【請求項１】
パンツ着用時に生じる尻下のたるみ皺と内股に波打つ皺を軽減する型紙操作。
【請求項２】
発想を変えたアイロン操作（クセ取り）で縦横正方形に織られた布目を平行四辺形に変形させて縦方向を縮め、横布目を水平にするアイロン手法。
【考案の詳細な説明】
【技術分野】
【０００１】  ドレスパンツにおいて着用時に綺麗なパンツと言われるには、内股に余分なたるみ皺が無いようにすることだと考え、本考案は型紙と縫製方法に改良を加えたものである。
【背景技術】
【０００２】  パンツの後内股は、型紙形状が斜めになるので５ｍｍから８ｍｍ短くしておき、それを伸ばして前身頃側と縫合するのを常識として長年行われてきた。
【考案が解決しようとする課題】
【０００３】  伸縮性のある生地や織りのあまいざっくりした生地では従来方法でも目立たないが、張りのある梳毛生地では尻下にたるみ皺ができ、アイロン操作（クセ取り）を加えても内股がすっきりしない問題点があった。
【課題を解決するための手段】
【０００４】  パンツ後内股の長さを従来とは逆に、５ｍｍから８ｍｍ型紙の後内股上部を長くした。それを縫合前にアイロン操作（クセ取り）で追い込んで、縦横正方形に織られた布目を平行四辺形に変形させ、横布目が水平になるようにしてから縫合する。
【考案の効果】
【０００５】  後内股を伸ばす従来の方法は結果的に横布目が曲線になるため、尻下のたるみ皺が取れない。逆にいせて（縮めて）アイロン操作で変形させることによって、縦方向は縮み横布目が水平になるので安定し、不自然なたるみ皺は無くなり内股がすっきりする。
また、膝を曲げるとつかえ感が出るのが、後内股上部を縮めて縫合しているため膝に引かれると伸びるので、つかえ感が軽減され穿きやすいパンツになる。
【図面の簡単な説明】
【０００６】
【図１】本考案による内股がすっきりしたパンツ着用の正面図である。
【図２】問題提起の後内股にたるみ皺が発生している内股側面図である。
【図３】型紙及び裁断されたものを前・後とも中心線で折り曲げた状態の図である。
【図４】アイロン操作（クセ取り）で、なじませと内股上部を縮めた状態の図である。
【図５】アイロン操作で布目を平行四辺形に変形させた状態の図である。
【図６】着用して膝を曲げた時、矢印方向に伸びる状態の図である。
【符号の説明】
【０００７】  １  すっきりした内股
２  後内股のたまり皺
３  パンツ前身頃
４  パンツ後身頃
５  後内股上部
６  縮めた後内股
７  アイロン
８  平行四辺形に変化した布目
９  引かれる方向
【図１】
0003166635.tif 000003
【図２】
0003166635.tif 000004
【図３】
0003166635.tif 000005
【図４】
0003166635.tif 000006
【図５】
0003166635.tif 000007
【図６】
0003166635.tif 000008
【手続補正書】
【提出日】平成22年11月4日(2010.11.4)
【手続補正１】
【補正対象書類名】実用新案登録請求の範囲
【補正対象項目名】全文
【補正方法】変更
【補正の内容】
【実用新案登録請求の範囲】
【請求項１】
ドレスパンツを着用した時に生じる尻下のたるみ皺を軽減するために、型紙の後内股縫い目を８ｍｍ長くすることによって、内股をすっきりさせることを特徴とするドレスパンツ型紙。
(57)【要約】      （修正有）【課題】ノートＰＣから外付け機器への電力供給をＵＳＢケーブルを介して行うにあたり、ＰＣの可搬性を損なうことなしに、簡易に十分な電力の供給を行うことができる電源供給装置を提供する。【解決手段】ノートＰＣのＵＳＢ３．０コネクタから電力を供給するための５Ｖ端子を有するＵＳＢ３．０コネクタ２、および前記ノートＰＣのＵＳＢ２．０コネクタから電力を供給するための５Ｖ端子を有するＵＳＢ２．０コネクタ３、ならびに外付け機器にノートＰＣからの電力を供給するための５Ｖ端子を有する外付け機器のＵＳＢ３．０コネクタに接続するためのＵＳＢ３．０コネクタ４、ならびに上記３つのコネクタを接続するケーブル１を設ける。この構成により、外付け機器に対して２つの電力供給ルートを持つ電力供給装置とする。【選択図】図１
0003166634.tif 000002
【実用新案登録請求の範囲】
【請求項１】
ＵＳＢ３．０とＵＳＢ２．０のコネクターを有するケーブルを用いて、ＰＣのＵＳＢ３．０の通信接続を行いつつ、ＵＳＢ３．０とＵＳＢ２．０の２つの電力供給ルートを有する外付け機器への電力供給装置。
【考案の詳細な説明】
【技術分野】
【０００１】  ＰＣに接続する外付け機器への電源供給装置
【背景技術】
【０００２】  外付けの記憶装置（ハードディスクドライブ、光学ドライブなど）が、パソコン（ＰＣ：Ｐｅｒｓｏｎａｌ  Ｃｏｍｐｕｔｅｒ）に接続されて使用されているが、その接続インタフェースには種々の規格（ＵＳＢ，ｅＳＡＴＡ，ＩＥＥＥ１３９４など）が存在する。
特に、ＰＣの電源を入れたままの状態で接続インタフェースケーブルを抜き差しできる（ホットプラグという）ＵＳＢ（Ｕｎｉｖｅｒｓａｌ  Ｓｅｒｉａｌ  Ｂｕｓ）インタフェースは、幅広く使用されており、今日では、ＵＳＢインタフェースを利用したポータブルタイプのハードディスクドライブ（ＨＤＤ）やブルーレイなどの光学ドライブが広く使用されている。
また、ＵＳＢインタフェースを利用した電子機器では、ＡＣ１００Ｖの外部電源を利用しなくても、ＵＳＢから供給される電力（バスパワー）のみを用いて動作するものもある。
さらに、ＵＳＢインタフェースの新しい規格、ＵＳＢ３．０では、従来のＵＳＢ２．０の約１０倍のデータ転送速度を有する。この技術により、ＰＣと外付け機器間のデータ転送が規格値で１０倍程度速くなり、業務効率が格段に向上するものである。
【考案の概要】
【考案が解決しようとする課題】
【０００３】  ＵＳＢ３．０インタフェースを有するノートＰＣでは、ＵＳＢ３．０の電流規格値９００ｍＡを供給していないＰＣが販売されている。
すなわち、ポータブルＨＤＤなど外付け機器をノートＰＣにＵＳＢ３．０インタフェースを用いて正常動作をさせるためには、ノートＰＣがＵＳＢ３．０インタフェースを通じて供給するバスパワー電流だけでは不足し、もう一つの電源から電流を外付け機器に供給することが必要となる場合がある。このため、バスパワーとは別にＡＣ電源からＡＣアダプターを用いて外付け機器に電流を供給する方式が多用されているが、ノートＰＣと外付け機器の可搬性が損なわれるという課題がある。
【課題を解決するための手段】
【０００４】  可搬性を損なうことなしに、正常動作のために十分な電力供給をする方法として、次のような技術が提案されている。
ノートＰＣと外付け機器を接続するＵＳＢ３．０ケーブルにもう１本のケーブルを追加してＵＳＢ２．０のバスパワーから電力供給を行い、外付け機器への２つの電力供給ルートを提供する。
【考案の効果】
【０００５】  この技術により、ノートＰＣに接続された外付け機器には、ＵＳＢ３．０とＵＳＢ２．０のバスパワーから電力が供給され、外付け機器が正常に動作できる。
ＡＣ電源から電力を供給する必要がなくなり、ＡＣ電源を利用できない場所でも、ポータブル外付け機器を使用するノートＰＣの可搬性を損なうことがない。
【図面の簡単な説明】
【０００６】
【図１】本考案の実施の形態を示す図。
【符号の説明】１  本考案のケーブル
２  ＵＳＢ３．０コネクタ（ノートＰＣ側）
３  ＵＳＢ２．０コネクタ（ノートＰＣ側）
４  ＵＳＢ３．０コネクタ（外付け機器側）
５  ノートＰＣ
６  外付け機器
【考案を実施するための形態】
【０００７】  ２つの電力供給ルートを有するケーブルを用いて、外付け機器のＵＳＢ３．０端子につないだ本ケーブルのもう一つのＵＳＢ３．０コネクターを、ノートＰＣのＵＳＢ３．０端子につなぎ、本ケーブルのＵＳＢ２．０コネクターをノートＰＣのＵＳＢ２．０端子に接続する。
【実施例】
【０００８】  ノートＰＣとバスパワー対応の外付けポータブルＨＤＤを上記のような構成で、２つの電力供給ルートを有するケーブルを用いて接続することにより、ＡＣ電源を使う必要がなくなり、ノートＰＣの可搬性を損なうことなくポータブルＨＤＤを利用できる。
【産業上の利用可能性】
【０００９】  可搬性を持ったノートＰＣと外付け機器を高速のＵＳＢ３．０インタフェースの性能で接続できるため、戸外や外出先でのデータ転送が速くなり、業務効率が格段に向上する。
【図１】
0003166634.tif 000003
【手続補正書】
【提出日】平成22年12月17日(2010.12.17)
【手続補正１】
【補正対象書類名】実用新案登録請求の範囲
【補正対象項目名】全文
【補正方法】変更
【補正の内容】
【実用新案登録請求の範囲】
【請求項１】
ノートＰＣのＵＳＢ３．０コネクタから電力を供給するための５Ｖ端子を有するＵＳＢ３．０コネクタ（２）、および前記ノートＰＣのＵＳＢ２．０コネクタから電力を供給するための５Ｖ端子を有するＵＳＢ２．０コネクタ（３）、ならびに外付け機器にノートＰＣからの電力を供給するための５Ｖ端子を有する、外付け機器のＵＳＢ３．０コネクタに接続するためのＵＳＢ３．０コネクタ（４）、ならびに上記３つのコネクタを接続するケーブルを有する、２つの電力供給ルートを構成する外付け機器への電力供給装置。
【手続補正２】
【補正対象書類名】明細書
【補正対象項目名】０００６
【補正方法】変更
【補正の内容】
【０００６】
【図１】本考案の実施の形態を示す図。
【図２】本考案のケーブルの構成を示す図。「図１の符号の説明」１  本考案のケーブル  ２  ＵＳＢ３．０コネクタ（ノートＰＣ側）  ３  ＵＳＢ２．０コネクタ（ノートＰＣ側）  ４  ＵＳＢ３．０コネクタ（外付け機器側）  ５  ノートＰＣ  ６  外付け機器「図２の符号の説明」２  ＵＳＢ３．０コネクタ（ノートＰＣ側）  ３  ＵＳＢ２．０コネクタ（ノートＰＣ側）  ４  ＵＳＢ３．０コネクタ（外付け機器側）  １１  ５Ｖ端子  １２  グラウンド端子  １３  ５Ｖ端子  １４  グラウンド端子  １５  ５Ｖ端子  １６  グラウンド端子
【手続補正３】
【補正対象書類名】図面
【補正対象項目名】図２
【補正方法】追加
【補正の内容】
【図２】
0003166634.tif 000004
(57)【要約】      （修正有）【課題】あらゆるバッグ・袋ものの持ち手に簡単に装着でき、過荷重による身体への苦痛をやわらげ、かつ実際の重さより軽く感じ、また、肩に掛けても滑りにくい持ち手パッドを提供する。【解決手段】本持ち手パッドは、かさ高でクッション性、通気性、滑り止めに優れたクレバルカー１を本体とし、それにふちどり２を施し、相対向する一方の裏側の端部に帯状の面ファスナー３１を取りつけ、他の一方の表側に上記面ファスナー３１に対応する帯状の面ファスナー３２を取りつけ、面ファスナー３１，３２を接合させて筒状として使用するため、あらゆる持ち手に即対応できる。【選択図】図１
0003166664.tif 000002
【実用新案登録請求の範囲】
【請求項１】
かさ高でクッション性・通気性に富むポリエステルエラストマー不織布（１）を方形に裁断し、その周囲をふちどり布でふちどり（２）を施し、相対向する二辺の一方の裏側の端部に帯状の面ファスナー（３１）をこの辺に平行して取りつけ他方の辺の表側に上記面ファスナー（３１）に対応する帯状の面ファスナー（３２）を同じくこの辺に平行して取りつけたことを特長とする持ち手パッド（１０）。
【考案の詳細な説明】
【技術の分野】
【０００１】  本考案は、バッグ・袋ものの持ち手パッドに関するものである。
【背影の技術】
【０００２】  従来より、肩のすべり止めとして革やスポンジ様のものをショルダーバッグなどのバンドに通して使用するものがある。又、肩パッドにバッグなどのバンドを通して使用するものがある。（特許文献１参照）
これら従来のものには、手や腕への過重による喰い込みによる痛みをやわらげる用はなさない。
【先行技術文献】
【特許文献１】  特開  平１０−０６６６１７号
【考案の概要】
【考案が解決しょうとする課題】
【０００３】  本考案は、過重なバッグや袋もの類を手や腕、肩に持ったり掛けたりするときに、過重からくる各体部の痛みをやわらげ、肩から落ちにくくするものである。
【課題を解決するための手段】
【０００４】  本考案の持ち手パッドは、かさ高でクッション性・通気性に富む、ポリエステルエラストマー不織布（１）を方形に裁断し、その周囲をふちどり布でふちどり（２）を施し、相対向する二辺の一方の裏側の端部に帯状の面ファスナー（３１）をこの辺に平行して取りつけ、他方の辺の表側に上記面ファスナー（３１）に対応する帯状の面ファスナー（３２）を同じくこの辺に平行して取りつけたことを特長とする。
【０００５】  本考案で用いる、かさ高でクッション性・通気性に富むポリエステルエラストマー不織布（１）としては、たとえば呉羽テック株式会社製の「クレバルカー」などが好ましい。
【０００６】  上記不織布を持ち手パッドに製作するには方形に裁断して用いる。裁断部のほつれや、肌ざわりの不快を生じるため、ふちどり布でふちどり（２）を施す。
【０００７】  持ち手パッドとして使用するときは、上記不織布の上に、バッグのベルトや袋ものの持ち手を乘せて、上記面ファスナー（３１）（３２）を接合させて筒状とする。
【考案の効果】
【０００８】  過重なバッグや袋ものを手や腕・肩に持ったり掛けたりするときに、この持ち手パッドを用いれば、かさ高でクッション性・通気性に富む不織布であるため、過重による各体部の痛みをやわらげ、肩からすべりにくく、腕や手のムレを防ぎ、面ファスナーで留めているためベルトや持ち手が安定し、実際の重さより軽るく感じるため、快適に手荷物を移動させることができる。
【図面の簡単な説明】
【０００９】
【図１】  本考案の持ち手パッドの全体斜視図。
【図２】  本考案の持ち手パッドをバッグなどのベルトに装着した状態を示す説明図。
【図３】  本考案の持ち手パッドを実際に手、腕、肩に使用している様子を示す説明図。
【本考案を実施するための形態】
【実施例】
【００１０】  本考案の実施例を図を用いて説明する。
図１は本考案の実施例を示している。
かさ高でクッション性・通気性に富むポリエステルエラストマー不織布（１）として呉羽テック株式会社製の厚さ３ミリの「クレバルカー」を１６０ミリ×１２０ミリの方形に裁断した。この四辺を巾３０ミリのふちどり布を用いて裏から表にわたって、裏表同一寸法でふちどり（２）を施した。次に、相対向する二辺の一方の裏側の端部に巾２５ミリ・長さ１１５ミリの帯状の面ファスナー雄（３１）をこの辺に平行して取りつけ他方の辺の表側に同寸の面ファスナー雌（３２）を同じくこの辺に平行に取りつけて持ち手パッドを完成させた。
図２は、こうして得た持ち手パッド（１０）をバッグのベルトに装着した状態を示す。図のように面ファスナー（３１）と面ファスナー（３２）を接合して筒状としこの筒内にベルトをはさみ込むとずれたり、すべったりしない。
図３は、この持ち手パッド（１０）を実際に手、腕、肩に使用している様子を示している。図のように持ち手パッド（１０）を用いれば手や腕肩に生じる負担が軽減されて痛みを生じることなく又、肩からすべり落ちる心配がなかった。
【産業上の利用可能性】
【００１１】  本考案の持ち手パッド（１０）には上記のような効果があり日常の買ものなどに利用するのに大変便利である。また、重量が１３ミリグラムと軽量かつコンパクトであるため携帯に最適である。
【符号の説明】
【００１２】１．  不織布
２．  ふちどり
３１．３２．  面ファスナー
１０．  持ち手パッド
【図１】
0003166664.tif 000003
【図２】
0003166664.tif 000004
【図３】
0003166664.tif 000005
(57)【要約】      （修正有）【課題】各々の足への荷重差で体のバランスチェックが出来、ボタンの操作で、一般的な体重計と同じ荷重計量をも可能とした、体のゆがみチェック体重計であり、２役の機能を持ち合わせた体重計を提供する。【解決手段】一般的普及品の体重計の大きさの本体に足の踏み板ごとの、２つのデジタル式体重計を収納し、独立した計量器とし、デジタル表示も各々の表示とする。表示指示ボタンの切り替えにて、合算数値表示も出来るようにし、一般的な体重計と同じ荷重計量をも可能とする。又、片足ずつの偏荷重が計量出来るので、体のバランスチェックが出来る。【選択図】図１
0003166667.tif 000002
【実用新案登録請求の範囲】
【請求項１】
片足ずつの偏荷重が計量出来る体重計であり、足の踏み板ごとに、各々が独立した計量器とし、デジタル表示も各々とし、被験者の体のゆがみからくる、各々の足への荷重差でバランスチェックが出来、また表示切り替えボタンで、双方の合算数値も表示出来るようにすることで、一般的な体重計と同じ荷重計量をも可能とした、体のゆがみチェック体重計。
【考案の詳細な説明】
【技術分野】
【０００１】  本考案は、片足ずつの偏荷重を計量し、体のバランスチェックをする、体ゆがみチェック体重計に関するものである。
【背景技術】
【０００２】  医療機関、又は、一般家庭で２台の体重計を使用（購入）し、左右別々に足を乗せ、体ゆがみのバランスチェックを行うことがはやりだした。
【考案の開示】
【考案が解決しようとする課題】
【０００３】  ２台使用は購入負担と収納スペース確保の問題があったが、一般的普及品の体重計の大きさの本体に、２つのデジタル式体重計を収納し、足の踏み板ごとが独立した計量器とし、各々の足の荷重差でバランスチェックが出来、また表示切り替えボタンの操作で、双方の合算数値も表示も出来るようにすることで、一般的な体重計と同じ荷重計量をも可能として、前述の欠点を解決するものである。
【課題を解決するための手段】
【０００４】  本考案は、一般的普及品の体重計の技術、部品・部材等の転用も可能であり、足の踏み板ごとに独立した計量器とし、各足への荷重差でバランスチェックが出来、また表示指示ボタンの操作で、合算数値表示もできるようにすることで問題を解決している。
【考案の効果】
【０００５】  上述のように、表示指示ボタンの切り替えにて、合算数値表示もできるようにすることで、一般的な体重計と同じ荷重計量も可能とし、２役の機能を実現。
【考案を実施するための最良の形態】
【０００６】  一般的普及品の体重計の大きさの本体に、２つのデジタル式体重計を収納し、足の踏み板ごとに独立した計量器とし、デジタル表示も各々の表示とし、被験者の体のゆがみからくる，各々の足への荷重差でバランスチェックが出来、また表示切り替えボタンの操作で、双方の合算数値も表示も出来るようにすることで、一般的な体重計と同じ荷重計量をも可能とした、体のゆがみチェック体重計であり、一般の体重計との２役の機能を持ち合わせた体重計とする。
【実施例】
【０００７】  以下、添付図に従って実施例を説明する。片足ずつの偏荷重が計量出来、体のバランスチェックが出来る、体のゆがみチェック体重計であり、１、は体重計の本体であり、２、は片足ずつ乗る踏み板であり、３、は各々の荷重のデジタル表示板であり、４、はその荷重を合算表示するか、別々に表示するかの表示切り替えボタンである。
【産業上の利用可能性】
【０００８】  健康医療器具として、１台で２つの役割を担う本タイプは在来の体重計に２役を持たせたもので、付加価値的商品となりうる。
【図面の簡単な説明】
【０００９】
【図１】本考案の姿図
【符号の説明】
【００１０】１  体のゆがみチェック体重計の本体
２  片足ずつ乗る、踏み板
３  各荷重のデジタル表示板
４  デジタル表示の切り替えボタン
【図１】
0003166667.tif 000003
(57)【要約】      （修正有）【課題】焦げ付きにくい焼き網を提供する。【解決手段】陶器製の焼き網をつくる。持ち手をつけて扱いやすいように、また、鉄線を陶器の中に入れたり、鉄板で裏打ちする。陶器は熱伝導率が小さいため、焦げ付きをやわらげることができる。円柱状の棒は焼かれるものと触れる部分を少なくしさらに焦げ付きをやわらげることに役立つ。棒の芯に金属を入れること、棒を金属で裏打ちすることは網の強度を高め、壊れにくくする。【選択図】図２
0003166668.tif 000002
【実用新案登録請求の範囲】
【請求項１】
棒状の陶器で作った焼き網
【請求項２】
棒状の陶器で作った焼き網で持ち手をつけたもの
【請求項３】
芯に金属の棒を入れた棒状の陶器で作った焼き網
【請求項４】
金属で裏打ちした棒状の陶器で作った焼き網
【考案の詳細な説明】
【技術分野】
【０００１】  本考案は、陶土を用いて作った焼き網に関するものである。
【背景技術】
【０００２】  従来、フライパンなどで魚などを焼くとき、油をひき、じかに上に置いて焼くため焦げ付きやすい。金属製の網をフライパンなどの上に置き、そのうえにのせても、網に触れる部分は焦げ付きやすい。
【考案の概要】
【考案が解決しようとする課題】
【０００３】  フライパンなどの上で魚などを焼くときの焦げ付きをやわらげる使い勝手の良い道具が望まれる。
【課題を解決するための手段】
【０００４】  棒状の陶器で焼き網をつくる。棒の芯に金属を入れるか、棒を金属で裏打ちする。また持ち手をつける。
【考案の効果】
【０００５】  陶器は熱伝導率が小さいため、焦げ付きをやわらげることができる。円柱状の棒は焼かれるものと触れる部分を少なくしさらに焦げ付きをやわらげることに役立つ。棒の芯に金属を入れること、棒を金属で裏打ちすることは網の強度を高め、壊れにくくする。持ち手は焼き網を扱いやすくする。鉄器と組み合わせれば、電磁調理器用の優れた焼き器となる。そのまま皿にのせて、テーブルに出すせば、焼き物の温かさを保つのにも役立つ。
【図面の簡単な説明】
【０００６】
【図１】棒状の陶器で作った焼き網の例の見取り図である。
【図２】棒状の陶器で作った持ち手のついた焼き網の例の見取り図である。
【図３】芯の入れ方の例の断面図である。
【図４】裏打ちの仕方の例の断面図である。
【考案を実施するための形態】
【実施例】
【０００７】  焼き網の形は直径２０ｃｍの円形、陶器の棒で周囲を囲み、陶器の棒を張り渡し焼き網を作る。棒の太さは直径１ｃｍ、１．５ｃｍの間隔で並べる。が、これらは、フライパンなどこの焼き網を入れて用いる容器に合わせて変更してよい。棒の形を円柱にすれば、より焦げ付きをやわらげることができる。【０００８】  直接食卓に出す焼き網として、２人分を別々にできるよう、２個一度に容器の中に入れて、焼き網として使えるよう、細長の形の焼き網、数個一度に焼けるよう小皿の大きさの焼き網もつくる。【０００９】  持ち手をつけ、より扱いやすくする。持ち手は中央部分または両端につける。【００１０】  棒は直径２ｍｍの鉄線を直径１ｃｍ位陶器でおおい円柱状にするか、棒の片側（下なる方）を平らにして厚さ２ｍｍの鉄板で裏打ちして壊れにくくする。【００１１】  陶器には通常の仕上げ加工とともにこびりつきを防ぐためにテフロン加工をすることが望ましい。
【符号の説明】
【００１２】１  陶器の棒
２  焼き網の足
３  焼き網の持ち手
４  陶
５  鉄線
６  鉄板
【図１】
0003166668.tif 000003
【図２】
0003166668.tif 000004
【図３】
0003166668.tif 000005
【図４】
0003166668.tif 000006